(57)【要約】【課題】 装着中におけるフィット性に優れ、更には外観に優れた使い捨ておむつを提供すること。【解決手段】液透過性の表面シート２、使い捨ておむつの外表面に位置する最外層シ−ト７、及び液保持性の吸収体４を有し、胴回り部Ｅに胴回り弾性部材１３が配されており、胴回り弾性部材１３は、最外層シート７以外の部材に伸張状態で固定されてギャザーを形成しており、胴回り弾性部材１３と最外層シート７との間に非接着領域Ｆが設けられており、上記胴回り部Ｅの外表面にギャザーが形成されていない使い捨ておむつ１。【選択図】図７
2006305374.tif 000002
【特許請求の範囲】
【請求項１】
液透過性の表面シート、使い捨て着用物品の外表面に位置する最外層シ−ト、及び液保持性の吸収体を有し、胴回り部に胴回り弾性部材が配されている使い捨て着用物品において、
上記胴回り弾性部材は、上記最外層シート以外の部材に伸張状態で固定されて該最外層シートの内方にギャザーを形成しており、
上記胴回り弾性部材と上記最外層シートとの間に非接着領域が設けられて、上記胴回り部の外表面にギャザーが形成されていないことを特徴とする使い捨て着用物品。
【請求項２】
液不透過性の裏面シートを有し、
上記吸収体は、上記表面シートと上記裏面シートとの間に介在されており、
上記裏面シートの内面側に弾性部材固定用シートが配されており、
上記裏面シートの内面側には、上記吸収体を載置する内層シートが配されており、
上記胴回り弾性部材は、上記内層シートと該弾性部材固定用シートとにより挟持固定されており、
上記裏面シートは、その直ぐ内面に位置するシートとは、上記胴回り弾性部材が存在する領域においては接着されていないことを特徴とする請求項１記載の使い捨て着用物品。
【請求項３】
液不透過性の裏面シートを有し、
上記吸収体は、上記表面シートと上記裏面シートとの間に介在されており、
上記裏面シートの内面側に、上記吸収体を載置する内層シートが設けられており、
上記胴回り弾性部材は、上記裏面シートの内面側に配されている、
ことを特徴とする請求項１記載の使い捨て着用物品。
【請求項４】
液不透過性の裏面シートを有し、
上記吸収体は、上記表面シートと上記裏面シートとの間に介在されており、
上記裏面シートと最外層シートとの間に外層シートが配されており、
上記胴回り弾性部材は、上記外層シートに直接又は他のシートを介して固着されていることを特徴とする請求項１記載の使い捨て着用物品。
【請求項５】
上記表面シート、液不透過性の裏面シート、及びこれら両シート間に介在された上記吸収体からなるおむつ本体と、上記おむつ本体の前身頃及び後身頃を連結する左右一対のウエストベルト部とを具備し、
上記ウエストベルト部は、最内に位置する内面シートと、最外に位置する上記最外層シートと、両シート間に位置する中間シートと、内面シート及び中間シートにより挟持固定された胴回り弾性部材とからなり、該中間シートと該最外層シートとは接着されておらず、該最外層シートにギャザーが形成されないようになされている、
ことを特徴とする請求項１記載の使い捨て着用物品。
【発明の詳細な説明】
【技術分野】
【０００１】
本発明は、外観に優れ、且つフィット性にも優れた使い捨ておむつや生理用ナプキンなどの使い捨て着用物品に関する。
【背景技術】
【０００２】
従来より、使い捨ておむつとしては、液透過性の表面シート、液不透過性の裏面シート、及びこれら両シート間に介在する液保持性の吸収体を有し、使用時に着用者のウエストに位置するウエスト部にウエスト部弾性部材が配されており、使用時に着用者の脚周りに位置するレッグ部にレッグ部弾性部材が配されており、使用時に着用者の胴回りに位置する胴回り部に胴回り弾性部材が配されているものが広く用いられている。
【０００３】
このような使い捨ておむつにおいて上記胴回り弾性部材は、胴回りのフィット性を高めて、装着中におけるフィット性を向上させるために設けられた部材である。そして、該胴回り弾性部材は、通常、おむつの外表面にギャザーを形成するように上記裏面シートに貼り付けられて設けられていた。
このため、従来の胴回り弾性部材を有する使い捨ておむつにおいては、上記ギャザーにより外観が悪いという問題が生じていた。
【発明の開示】
【発明が解決しようとする課題】
【０００４】
従って、本発明の目的は、装着中におけるフィット性に優れ、更には外観に優れた使い捨て着用物品を提供することにある。
【課題を解決するための手段】
【０００５】
本発明者らは鋭意検討した結果、胴周り弾性部材を最外層シートに接着させずに配する構成とした使い捨ておむつが、上記目的を達成し得ることを知見した。
【０００６】
本発明は、上記知見に基づきなされたもので、液透過性の表面シート、使い捨て着用物品の外表面に位置する最外層シ−ト、及び液保持性の吸収体を有し、胴回り部に胴回り弾性部材が配されている使い捨て着用物品において、上記胴回り弾性部材は、上記最外層シート以外の部材に伸張状態で固定されて該最外層シートの内方にギャザーを形成しており、上記胴回り弾性部材と上記最外層シートとの間に非接着領域が設けられて、上記胴回り部の外表面にギャザーが形成されていないことを特徴とする使い捨て着用物品を提供するものである。
【発明の効果】
【０００７】
本発明の使い捨て着用物品は、装着中におけるフィット性に優れ、更には外観に優れたものである。
【発明を実施するための最良の形態】
【０００８】
以下、本発明の使い捨て着用物品の好ましい実施形態を、図面を参照して説明する。先ず、図１〜７を参照して本発明の使い捨ておむつの第１の実施形態について説明する。
ここで、図１は、本発明の使い捨て着用物品の第１の実施形態としての使い捨ておむつを示す正面図である。図２は、図１に示す実施形態の使い捨ておむつの展開図であり、図３は、図２のIII-III 断面図であり、図４は、図２のIV-IV 断面図であり、図５は、図２のV-V 断面図であり、図６は、図２のVI-VI 断面図である。また、図７は、図２に示す使い捨ておむつの分解斜視図である。
【０００９】
図１及び図２に示す第１の実施形態の使い捨ておむつ１は、液透過性の表面シート２、使い捨ておむつの外表面に位置する最外層シ−ト７、及び液保持性の吸収体４を有し、胴回り部Ｅに胴回り弾性部材１３が配されている。
【００１０】
而して、胴回り弾性部材１３は、最外層シート７以外の部材に伸張状態で固定されてギャザーを形成しており、胴回り弾性部材１３と最外層シート７との間に非接着領域Ｆが設けられており、上記胴回り部Ｅの外表面にギャザーが形成されていない。ここで、「最外層シート以外の部材に固定」とは、表面シートや吸収体等を含む最外層シート以外の部材には固定されているが、最外層シートに固定されていない状態を意味する。
【００１１】
本実施形態の使い捨ておむつについて更に詳述すると、液不透過性の裏面シート３を有し、吸収体４は、表面シート２と裏面シート３との間に介在されており、裏面シート３の内面側に弾性部材固定用シート５が配されており、裏面シート３の内面側には、吸収体４を載置する内層シート６が配されており、胴回り弾性部材１３は、最外層シート７以外の部材である内層シート６と該弾性部材固定用シート５とにより挟持固定されており、 裏面シート３は、その直ぐ内面に位置するシートである弾性部材固定シート５とは、胴回り弾性部材１３が存在する領域においては接着されていない。即ち、裏面シート３は、その内面が、弾性部材固定用シート５とは接着されずに、弾性部材固定用シート５が接着されていない部分において内層シート６に接着されていると共に、その外面側のほぼ全面が最外層シート７に接着されている。
弾性部材固定用シート５は、裏面シート３と内層シート６との間に配されている。
また、本形態の使い捨ておむつ１においては、ウエスト開口部Ｃにウエスト部弾性部材１１が配されており、レッグ部Ｄにレッグ部弾性部材１２が配されており、ウエスト開口部Ｃの下方に位置する胴回り部Ｅに胴回り弾性部材１３が配されている。即ち、本形態において、胴回り部Ｅは、図２に示すように、腹側部及び背側部においてウエスト開口部の下方に位置する部分である。
また、本実施形態の使い捨ておむつ１は、図１及び図２に示すように、腹側部Ｂの左右両側縁部Ｂ１，Ｂ２と背側部Ａの左右両側縁部Ａ１，Ａ２とが接合固定されてなるパンツ型の使い捨ておむつである。
また、図２〜７に示すように、裏面シート３は、その内面が、弾性部材固定用シート５とは接着されずに、弾性部材固定用シートが接着されていない部分において内層シート６に接着されていると共に、裏面シート３はその外面側全面が最外層シート７に接着されている。
【００１２】
即ち、本実施形態の使い捨ておむつ１は、図２〜７に示すように、下記の如く構成されている。
本実施形態の使い捨ておむつ１において、裏面シート３は、股下領域が縊れた砂時計状に湾曲形成されている。また、吸収体４は、Ｔ字状であり、裏面シート３のほぼ中央部に位置するように配されている。表面シート２は、裏面シート３よりも小さく且つ股下領域が溢れた砂時計状に湾曲形成されており、吸収体４を覆うように配されている。
【００１３】
裏面シート３の外面側（おむつの外表面側）に配されている最外層シート７の形状は、裏面シート３の形状とほぼ同じであるが、前後両端部７ａ，７ｂが、裏面シート３よりも長く形成されている。
裏面シート３の内面側（吸収体４側の面側）に配された内層シート６の形状も、裏面シート３の形状とほぼ同じであるが、前後両端部６ａ，６ｂが裏面シート３の長さよりも長く且つ最外層シート７の長さよりも短くなされている。
また、おむつの胴回り部Ｅに位置する部分（腹側部Ｂ側及び背側部Ａ側の両方）には、長方形状の弾性部材固定用シート５が配されている。
【００１４】
また、使い捨ておむつ１の長手方向左右両側には、それぞれ不織布が配されて立体ガード８が形成されている。立体ガード８の自由端８１には立体ガード弾性伸縮部材１４が配されて、立体ギャザーを形成している。
また、最外層シート７は、その前後両端部７ａ，７ｂがおむつの前後両端縁において折り返されて、吸収体４、表面シート２及び立体ガード８の前後両端縁部を覆って、固着されている。
【００１５】
また、吸収体４の周縁部におけるウエスト開口部Ｃとレッグ部Ｄとには、おむつを着用した際に、着用者にウエスト開口部Ｃとレッグ部Ｄとをフィットさせるためのウエスト部弾性部材１１及びレッグ部弾性部材１２が配されている。ウエスト部弾性部材１１は、直線状に複数本（本形態においては３本）設けられており、また、レッグ部弾性部材１２は、腹側部Ｂ側と背側部Ａ側との両方において、それぞれＵ字状に複数本（本形態においては２本）設けられている。そして、ウエスト部弾性部材１１は、最外層シート７と内層シート６とにより挟持固定されており、レッグ部弾性部材１２は、最外層シート７と裏面シート３とにより挟持固定されている。
また、胴回り弾性部材１３は、弾性部材固定シート５と内層シート６とにより挟持固定されている。
【００１６】
そして、吸収体４は、内層シート６に直線状及び長方形状に塗布された接着剤６１を介して接着されている。
また、弾性部材固定用シート５は、その内面（吸収体４側の面）ほぼ全面に接着剤（図７に示す斜線部分）が塗布されて内層シート６に接着されている。なお、分解斜視図における斜線の領域は接着剤が塗布された領域を示す。破線の斜線の領域は図に示す面の裏面側が接着剤が塗布された領域であることを示す。以下の各実施形態の説明において同じ。
また、裏面シート３は弾性部材固定用シート５と当接しない箇所に接着剤（図７に示す斜線部分）が塗布されて内層シート６に接着されている。即ち、弾性部材固定用シート５と裏面シート３とは接着されていない。更に、最外層シート７は、そのほぼ全面に接着剤（図７に示す斜線部分）が塗布されており、裏面シート３の全面に接着されていると共に、前後両端縁部７ａ，７ｂにおいて内層シート６の前後両端縁部６ａ，６ｂと接着されており、更に折り返された部分にて表面シート２及び立体ガード８の前後両端縁部を固定している。
【００１７】
本実施形態の使い捨ておむつ１は、胴回り弾性部材１３が、上記弾性部材固定用シート５と内層シート６とにより挟持固定されて、裏面シート３ひいては最外層シート７には、直接的にも間接的にも固定されていないので、胴回り弾性部材１３と最外層シートとの間に非接着領域Ｆが形成され、おむつの外表面における胴回り部Ｅに該胴回り弾性部材１３によってギャザーが形成されない。
従って、胴回り弾性部材１３の作用により、胴回り部Ｅのフィット性ひいてはおむつ全体の装着中におけるフィット性を向上させつつも外観を損なうことがないものである。
また、本形態の使い捨ておむつによれば、更に、下記の如き効果が奏される。布様のすっきりした外観でフィット性もよい。
ぴったりしたズボン・スカート・パンツを着用しても外観上おむつを着用していることが目立たない。
おむつ着用時及びズボン等の着用時に引っかからず、なめらかである。
絵柄・プリントなどを導入する場合、印刷した模様がしわよせられることによる見栄えの低下が防止される。
廃棄用テープを導入する場合に加工上接着が容易で生産性が向上する。
廃棄用テープが、ギャザーで寄せられてしわになったり、角が剥がれるなどの弊害が防止される。また、廃棄時にテープの接着面が平滑で貼りやすく、廃棄操作が容易である。
胴回り弾性部材よりも外側のシートとして、隠蔽性の高いもの（特に防水フィルム）を使用すると更に良好である。
【００１８】
次に、使い捨ておむつ１を構成する各部材の形成材料について説明する。
表面シート２としては、排泄物を吸収体４へ透過させる液透過性シートで肌着に近い感触を有したものが好ましく、このような液透過性シートとしては、例えば、織布、不織布、多孔性フィルム等が好ましく挙げられる。また、表面シート２の周縁にシリコン系油剤、パラフィンワックス等の疎水性化合物を塗布する方法や、予めアルキルリン酸エステルのような親水性化合物を全体に塗布し、周縁を温水で洗浄する方法により、撥水処理を施し、周縁における尿等の滲みによる漏れを防止することができる。
【００１９】
裏面シート３としては、熱可塑性樹脂にフィラーを加えて延伸した液不透過性かつ蒸気透過性のフィルムシート、または繊維集合体と該フィルムシートとのラミネート等が用いられる。
【００２０】
吸収体４としては、解繊パルプを主材とし、高吸水ポリマーを併用したものが好ましい。該高吸水ポリマーは、上記吸収体４の上層、中層、下層の何れの位置に存在させてもよく、また、パルプと混合したものでもよい。また、該高吸水ポリマーは自重の２０倍以上の液体を吸収して保持し得る保持性能を有し、ゲル化する性質を有する粒子状のものが好ましい。このような高吸水ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましく挙げられる。
【００２１】
ウエスト部弾性部材１１、レッグ部弾性部材１２、胴回り弾性部材１３及び立体ガード弾性部材１４としては、それぞれ、糸ゴム、平ゴム、フィルムタイプのゴム、或いはポリウレタン又はメタロセン触媒を用いて製造されたエチレン−α−オレフィン共重合体の弾性フィルム、糸ゴム、平ゴム、発泡体等が好ましく挙げられ、特に５０％伸長時の応力が４０〜１５０グラムのものが好ましい。
【００２２】
また、立体ガード８を形成する不織布としては、通常おむつに用いられるものを特に制限なく用いることができる。
【００２３】
また、最外層シート７、内層シート６、弾性部材固定用シート５としては、通常、衛生材料として用いられる各種製法による不織布または、ポリエチレン、ウレタン等のプラスチックフィルム、及びそれらのラミネート等を用いることができる。
【００２４】
尚、本実施形態の使い捨ておむつは、通常のパンツ型の使い捨ておむつと同様にして使用することができるものであり、また、下記の如くして製造することができるものである。
即ち、図７に示すように、内層シート６の内面上に、吸収体４、表面シート２及び立体ガード８をこの順で載置し、更に、内層シート６の外面側（裏面シート３側）の前後両端部６ａ，６ｂ側に胴回り弾性部材１３が固着された弾性部材固定用シート５を配し、また、弾性部材固定用シート５と当接する部分には接着剤が塗布されておらず且つ内層シート６と直接当接する部分にのみ接着剤が塗布されてなる裏面シート３を貼り付け、更に、ほぼ全面に接着剤が塗布され且つ所定位置にウエスト部弾性部材１１及びレッグ部弾性部材１２が配された最外層シート７を該裏面シート３及び内層シート６に接着する。そして、更に最外層シート７の前後両端縁部７ａ，７ｂを矢印方向に折り返して、表面シート２及び立体ガード８を固定して、本実施形態の使い捨ておむつを得ることができる。
【００２５】
以上、本発明の使い捨ておむつをその好ましい実施形態に基づき説明したが、本発明の使い捨ておむつは上記実施形態に制限されるものではなく、種々の変更形態が可能である。
例えば、上述した実施形態において、最外層シート７を設けずに裏面シート３を最外層シートとして用い、該裏面シートと内層シート６とでウエスト部弾性部材１１及びレッグ部弾性部材１２を固定してなる形態、内層シート６を設けずに吸収体４及び表面シート２と弾性部材固定用シート５とにより胴回り弾性部材１３を固定する形態、並びに、内層シート６及び最外層シート７を設けずに、裏面シートを最外層シートとして用い、吸収体４及び表面シート２と弾性部材固定用シート５とにより胴回り弾性部材１３を固定する形態、等の形態とすることができる。
また、上述の形態においては、胴回り弾性部材が胴回り部全周に亘って設けられた例を示して説明したが、胴回り弾性部材は、胴回り部全周ではなく胴回り部の１部のみに設けられてもよい。
【００２６】
次に、図８〜１０を参照して第２〜４の実施形態について詳述する。
ここで、図８は、第２の実施形態を示すおむつの分解斜視図であり、図９は、第３の実施形態を示すおむつの分解斜視図であり、図１０は、第４の実施形態を示すおむつの分解斜視図である。
なお、以下の実施形態の説明においては、特に、上述した第１の実施形態と異なる点について詳述する。特に詳述しない点については、第１の実施形態の説明においてした説明が適宜適用される。
【００２７】
図８に示す第２の実施形態の使い捨ておむつ１は、液不透過性の裏面シート３を有し、吸収体４は、表面シート２と裏面シート３との間に介在されており、裏面シート３の内面に配され吸収体４を載置する内層シート６が設けられており、胴回り弾性部材１３は、裏面シート３の内面側に配されている。
そして、胴回り弾性部材１３は、裏面シート３の内面側（表面シート２側）に配されており、胴回り部Ｅの外表面にギャザーが形成されていない。
【００２８】
具体的には、裏面シート３はその全面が内層シート６に接着されており、背側部Ａ及び腹側部Ｂの胴回り部Ｅには胴回り弾性部材１３が配されているが、胴回り弾性部材１３は、裏面シート３と表面シート２との間において、裏面シート３と内層シート６とにより挟持固定されている。
また、裏面シート３の胴回り弾性部材１３が配されている胴回り部Ｅは、最外層シート７には接着されていない（図８に示す斜線のない部分）。これにより、胴回り弾性部材１３と最外層シ−トとの間に非接着領域Ｆが設けられ、おむつの外表面における胴回り部Ｅにギャザーが形成されないようになされている。
【００２９】
図９に示す第３の実施形態の使い捨ておむつは、液不透過性の裏面シート３を有し、吸収体４は、表面シート２と裏面シート３との間に介在されており、内層シート６は設けられていない。胴回り弾性部材１３は、裏面シート３の内面側（表面シート２側）に配されており、おむつの外表面における胴回り部Ｅにギャザーが形成されていない。
【００３０】
具体的には、図９に示す第３の実施形態の使い捨ておむつ１は、胴回り弾性部材１３が裏面シート３と表面シート２とにより挟持固定されており、裏面シート３と最外層シート７とは、胴回り弾性部材１３が配されている胴回り部Ｅを除いて接着剤（図９の斜線部分）を介して接着されている。従って、胴回り弾性部材１３が配されている箇所（上記胴回り部Ｅ）においては裏面シート３と最外層シート７とは接着されていない。これにより、胴回り弾性部材１３と最外層シート７との間に非接着領域Ｆが設けられ、おむつの外表面にギャザーが形成されないようになされている。
【００３１】
図１０に示す第４の実施形態の使い捨ておむつ１は、液不透過性の裏面シート３を有し、吸収体４は、表面シート２と裏面シート３との間に介在されており、裏面シート３の内面に配され吸収体４を載置する内層シート６が設けられており、胴回り弾性部材１３は、裏面シート３の内面側に配されている。
そして、最外層シート７は設けられておらず、裏面シートが最外層シートとして用いられている。また、胴回り弾性部材１３は、裏面シート３の内面側（表面シート２側）に配されており、おむつの外表面における胴回り部Ｅにギャザーが形成されていない。このように、最外層シートは、特別の部材を用いずに裏面シートで代用してもよい。
【００３２】
具体的には、図１０に示す第４の実施形態の使い捨ておむつは、胴回り弾性部材１３が内層シート６と表面シート２とにより挟持固定されており、内層シート６と裏面シート３とは、胴回り弾性部材１３が配されている胴回り部Ｅを除いて接着剤（図１０の斜線部分）を介して接着されている。従って、胴回り弾性部材１３が配されている箇所（胴回り部Ｅ）においては裏面シート３と内層シート６とは接着されていない。これにより、胴回り弾性部材１３と最外層シートとしての裏面シート３との間に非接着領域Ｆが設けられ、おむつの外表面にギャザーが形成されないようになされている。
【００３３】
上述した第２〜４の実施形態においても、上述した第１の実施形態とほぼ同様にして製造及び使用することができる。そして、上述した第１の実施形態と同様の効果を奏する。
【００３４】
次いで、図１１〜２１を参照して本発明の第５〜９の実施形態について説明する。
ここで、図１１は、本発明の第５の実施形態を示す展開平面図である。図１２は、図１１のXII-XII 断面図であり、図１３は、図１１に示す使い捨ておむつの分解斜視図である。図１４は、本発明の第６の実施形態の長手方向断面図（図１２相当図）であり、図１５は、図１４に示す使い捨ておむつの分解斜視図（図１３相当図）である。図１６は、本発明の第７の実施形態の長手方向断面図（図１２相当図）であり、図１７は、図１６に示す使い捨ておむつの分解斜視図（図１３相当図）である。図１８は、本発明の第８の実施形態の長手方向断面図（図１２相当図）であり、図１９は、図１８に示す使い捨ておむつの分解斜視図（図１３相当図）である。図２０は、本発明の第９の実施形態の長手方向断面図（図１２相当図）であり、図２１は、図２０に示す使い捨ておむつの分解斜視図（図１３相当図）である。
【００３５】
先ず、第５の実施形態について説明する。尚、以下の第５〜９の実施形態の説明においては、上述した第１の形態と同じ部材については１００番台の番号を付し、同じ部分については特に説明しない。特に説明しない部分については、第１の形態の説明でした説明が適宜適用される。
【００３６】
図１１〜１３に示す第５の形態の使い捨ておむつ１０１は、液不透過性の裏面シート１０３を有し、吸収体１０４は、表面シート１０２と裏面シート１０３との間に介在されており、裏面シート１０３と最外層シート１０７との間に外層シート１０９が配されており、胴回り弾性部材１１３は、外層シート１０９に直接固着されている。
【００３７】
更に詳述すると、図１１及び１３に示すように、裏面シート１０３と表面シート１０２とは、長方形状であり、吸収体１０４は、股下領域が溢れた砂時計状に湾曲形成されている。また、表面シート１０２の上方における左右両側縁部分には、立体ガード１０８が配されている。
【００３８】
最外層シート１０７の形状及び外層シート１０９の形状は、ほぼ同じに股下領域が溢れた砂時計状に湾曲形成されているが、最外層シート１０７の前後両端部１０７ａ，１０７ｂが、外層シート１０９よりも長く形成されている。
外層シート１０９の内面側には、表面シートの端縁を覆うように、長方形状のインナーシート１２１が配されている。
【００３９】
また、最外層シート１０７は、その前後両端部１０７ａ，１０７ｂがおむつの前後両端縁において折り返されて、外層シート１０９及びインナーシート１２１の端縁部を覆って、固着されている。
ウエスト部弾性部材１１１及びレッグ部弾性部材１１２は、最外層シート１０７と外層シート１０９とにより挟持固定されている。
また、胴回り弾性部材１１３は、外層シート１０９の内面側（肌当接面側）に直接固着されており、外層シート１０９とインナーシート１２１とにより挟持固定されている。
【００４０】
裏面シート１０３は、外層シート１０９のほぼ中央部において、直線状及び長方形状に塗布された接着剤１６１を介して接着されている。
そして、最外層シート１０７には胴回り部Ｅ以外の部分に接着剤が塗布されており（図１３の斜線部分）、外層シート１０９と最外層シート１０７とは、胴回り部Ｅにおいては接着されていない。また、胴回り部Ｅ以外の部分においては接着剤を介して接着されている。これにより、胴回り弾性部材１１３と最外層シート１０７との間に非接着領域Ｆが設けられて、使い捨ておむつの外表面にギャザーが形成されないようになされている。
【００４１】
上記外層シート１０９及び上記インナーシート１２１の形成材料としては、通常、衛生材料として用いられる各種製法による不織布または、ポリエチレン、ウレタン等のプラスチックフィルム、及びそれらのラミネート等を用いることができる。
【００４２】
この第５の実施形態においても、上述した第１の実施形態と同様の効果が奏される。また、上述した第１の形態に準じて製造することができる。
また、本形態においては、胴回り弾性部材の一部が吸収体の下に位置してもよい。上述した「直接又は他のシートを介して」とは、全ての胴回り弾性部材が、外層シートに接着されていることを意味するものではなく、一部が吸収体の上方に位置するような場合をも含む意である。
【００４３】
以下に、第６〜９の実施形態について説明するが、以下の説明においては上述した第５の実施形態と異なる点について詳述する。特に詳述しない点は、上述した第１及び第５の実施形態と同様であり、これらの説明が適宜適用される。
【００４４】
図１４〜１５に示す第６の形態の使い捨ておむつは、おむつの胴回り部Ｅに位置する部分（腹側部Ｂ側及び背側部Ａ側の両方）における最外層シート１０７と外層シート１０９との間に、長方形状の弾性部材固定用シート１０５が配されている。
また、胴回り弾性部材１１３は、弾性部材固定用シート１０５と外層シート１０９とにより挟持固定されている。
【００４５】
また、弾性部材固定用シート１０５は、その内面（吸収体４側の面）全面に接着剤（図１５に示す斜線部分）が塗布されて外層シート１０９に接着されている。弾性部材固定用シート１０５と最外層シート１０７とは、接着されていない。弾性部材固定用シート１０５と最外層シート１０７とが接着されていないことにより、胴回り弾性部材１１３と最外層シート１０７との間に非接着領域Ｆが設けられて、使い捨ておむつの外表面にギャザーが形成されないようになされている。
【００４６】
図１６及び１７に示す第７の形態の使い捨ておむつ１０１は、胴回り弾性部材１１３が、インナーシート１２１に接着されており、インナーシート１２１と外層シート１０９とにより挟持固定されている。
【００４７】
そして、最外層シート１０７には胴回り部Ｅ以外の部分に接着剤が塗布されており（図１３の斜線部分）、外層シート１０９と最外層シート１０７とは、胴回り部Ｅにおいては接着されていない。また、胴回り部Ｅ以外の部分においては接着剤を介して接着されている。これにより、胴回り弾性部材１１３と最外層シート１０７との間に非接着領域Ｆが設けられて、使い捨ておむつの外表面にギャザーが形成されないようになされている。
【００４８】
図１８〜１９に示す第８の形態の使い捨ておむつは、弾性部材固定用シート１０５がインナーシート１２１と外層シート１０９との間に配されている。
そして、胴回り弾性部材１１３は、弾性部材固定用シート１０５とインナーシート１２１とにより挟持固定されており、これを外層シート１０９上に配している。
【００４９】
そして、上記弾性部材固定用シート１０５は、幅方向両端縁部のみにおいて外層シート１０９に固定されており、胴回り部Ｅにおいては固定されていない。また、最外層シート１０７と外層シート１０９とは全面が固着されている。上記弾性部材固定用シート１０５と外層シート１０９とが胴回り部Ｅにおいて接着されていないことにより、胴回り弾性部材１１３と最外層シート１０７との間に非接着領域Ｆが設けられて、使い捨ておむつの外表面にギャザーが形成されないようになされている。
【００５０】
図２０及び２１に示す第９の形態の使い捨ておむつは、胴回り弾性部材１１３が外層シート１０９の最外層シート１０７側に接着されている。但し、本形態においては、胴回り弾性部材１１３の外層シート１０９側のみに接着剤が塗布されて外層シート１０９のみに接着されている。
これにより、胴回り弾性部材１１３と最外層シート１０７との間に非接着領域Ｆが設けられており、使い捨ておむつの外表面にギャザーが形成されないようになされている。
【００５１】
なお、上述の第５〜９の実施形態においては、上記インナーシートを用いずに最外層シート１０７の長手方向両端縁部が延出された形態のものを用い、この延出された部分を最内表面に位置させるように構成することもできる。
また、上述の第５〜９の実施形態の使い捨ておむつは、上述した第１の実施形態の使い捨ておむつと同様の効果を奏するが、特に、大人用として有用である。
【００５２】
次に、図２２及び２３を参照して本発明の第１０の実施形態について詳述する。
ここで、図２２は、本発明の第１０の実施形態を示す斜視図であり、図２３は、図２２に示す使い捨ておむつのXXIII-XXIII 断面図である。
なお、以下の説明においては、上述した第１及び第５の実施形態と同じ部分については、２００番台の符号を付して説明を省略する。特に詳述しない部分については、上述した第１及び５の実施形態の説明においてした説明が適宜適用される。
【００５３】
図２２及び２３に示す第１０の形態の使い捨ておむつ２０１は、表面シート２０２、液不透過性の裏面シート２０３、及びこれら両シート間に介在された吸収体（図示せず）からなるおむつ本体２３０と、おむつ本体２３０の前身頃（腹側部Ｂ）及び後身頃（背側部Ａ）を連結する左右一対のウエストベルト部２４０とを具備し、ウエストベルト部２４０は、最内に位置する内面シート２４１と、最外に位置する上記最外層シート２０７と、両シート間に位置する中間シート２４２と、内面シート２４１及び中間シート２４２により挟持固定された胴回り弾性部材２１３とからなり、該中間シート２４２と該最外層シート２０７とは接着されておらず、該最外層シート２０７にギャザーが形成されないようになされている。
【００５４】
更に詳述すると、おむつ本体２３０は、表面シート２０２、裏面シート２０３及び両者間に介在された吸収体からなる構成とされていればその構造は特に制限されない。本形態においては、表面シート２０２、裏面シート２０３及び吸収体により構成され、長手方向両端縁部分が先細の形状となされている。
また、ウエストベルト部２４０は、図２３に示すように、内面シート２４１と中間シート２４２とはほぼ同じ大きさになされており、両者で胴回り弾性部材２１３を挟持固定している。そして、最外層シート２０７は中間シート２４２の外表面側に位置するように配されており、その両側縁部を内面シート２４１側に折り返して、この折り返した部分が内面シート２４１の内面に固着されている。最外層シート２０７は、中間シート２４２には接着されておらず、これにより、胴回り弾性部材１１３と最外層シート２０７との間に非接着領域Ｆが設けられ、使い捨ておむつの外表面にギャザーが形成されないようになされている。
【００５５】
上記内面シート及び上記中間シートの形成材料としては、通常、衛生材料として用いられる各種製法による不織布または、ポリエチレン、ウレタン等のプラスチックフィルム、及びそれらのラミネート等を用いることができる。
【００５６】
なお、第１０の実施形態においても本発明の趣旨を逸脱しない範囲で種々変更することができ、例えば、吸収体の形状を長方形状としたり、左右一対のウエストベルトの代わりに環状のウエストベルトを用いたりすることができる。
【図面の簡単な説明】
【００５７】
【図１】図１は、本発明の使い捨て着用物品の第１の実施形態としての使い捨ておむつを示す正面図である。
【図２】図２は、図１に示す実施形態の使い捨ておむつの展開図である。
【図３】図３は、図２のIII-III 断面を模式的に示す断面図である。
【図４】図４は、図２のIV-IV 断面を模式的に示す断面図である。
【図５】図５は、図２のV-V 断面を模式的に示す断面図である。
【図６】図６は、図２のVI-VI 断面を模式的に示す断面図である。
【図７】図７は、図２に示す使い捨ておむつの分解斜視図である。
【図８】図８は、第２の実施形態を示すおむつの分解斜視図である。
【図９】図９は、第３の実施形態を示すおむつの分解斜視図である。
【図１０】図１０は、第４の実施形態を示すおむつの分解斜視図である。
【図１１】図１１は、本発明の第５の実施形態を示す展開平面図である。
【図１２】図１２は、図１１のXII-XII 断面を模式的に示す断面図である。
【図１３】図１３は、図１１に示す使い捨ておむつの分解斜視図である。
【図１４】図１４は、本発明の第６の実施形態の長手方向断面を模式的に示す断面図（図１２相当図）である。
【図１５】図１５は、図１４に示す使い捨ておむつの分解斜視図（図１３相当図）である。
【図１６】図１６は、本発明の第７の実施形態の長手方向断面を模式的に示す断面図（図１２相当図）である。
【図１７】図１７は、図１６に示す使い捨ておむつの分解斜視図（図１３相当図）である。
【図１８】図１８は、本発明の第８の実施形態の長手方向断面を模式的に示す断面図（図１２相当図）である。
【図１９】図１９は、図１８に示す使い捨ておむつの分解斜視図（図１３相当図）である。
【図２０】図２０は、本発明の第９の実施形態の長手方向断面を模式的に示す断面図（図１２相当図）である。
【図２１】図２１は、図２０に示す使い捨ておむつの分解斜視図（図１３相当図）である。
【図２２】図２２は、本発明の第１０の実施形態を示す斜視図である。
【図２３】図２３は、図２２に示す使い捨ておむつのXXIII-XXIII 断面を模式的に示す断面図である。
【符号の説明】
【００５８】
１  使い捨ておむつ
２  表面シート
３  裏面シート
４  吸収体
５  弾性部材固定用シート
６  内層シート
７  最外層シート
８  立体ガード
１１  ウエスト部弾性部材
１２  レッグ部弾性部材
１３  胴回り弾性部材
１４  立体ガード弾性部材
Ａ  背側部
Ｂ  腹側部
Ｃ  ウエスト部
Ｄ  レッグ部
Ｅ  胴回り部
【図１】
2006305374.tif 000003
【図２】
2006305374.tif 000004
【図３】
2006305374.tif 000005
【図４】
2006305374.tif 000006
【図５】
2006305374.tif 000007
【図６】
2006305374.tif 000008
【図７】
2006305374.tif 000009
【図８】
2006305374.tif 000010
【図９】
2006305374.tif 000011
【図１０】
2006305374.tif 000012
【図１１】
2006305374.tif 000013
【図１２】
2006305374.tif 000014
【図１３】
2006305374.tif 000015
【図１４】
2006305374.tif 000016
【図１５】
2006305374.tif 000017
【図１６】
2006305374.tif 000018
【図１７】
2006305374.tif 000019
【図１８】
2006305374.tif 000020
【図１９】
2006305374.tif 000021
【図２０】
2006305374.tif 000022
【図２１】
2006305374.tif 000023
【図２２】
2006305374.tif 000024
【図２３】
2006305374.tif 000025
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の裏面シート、使い捨て着用物品の外表面に位置する最外層シ−ト、及び上記表面シートと上記裏面シートとの間に介在された液保持性の吸収体を有し、胴回り部に胴回り弾性部材が配されている使い捨て着用物品において、
上記裏面シートと上記最外層シートとの間に外層シートが配されており、
上記胴回り弾性部材は、上記最外層シート以外の部材である上記外層シートに伸張状態で直接固定されて該最外層シートの内方にギャザーを形成しており、
上記外層シートと上記最外層シートとが上記胴回り部において接着されていないことによって、上記胴回り弾性部材と上記最外層シートとの間に非接着領域が設けられて、上記胴回り部の外表面にギャザーが形成されていないことを特徴とする使い捨て着用物品。
【請求項２】
上記胴回り弾性部材は、上記外層シートの内面側に直接固定されている請求項１記載の使い捨て着用物品。
【請求項３】
上記胴回り弾性部材の上記外層シート側のみに接着剤が塗布されて、上記胴回り弾性部材が上記外層シートの上記最外層シート側にのみに接着されている請求項１記載の使い捨て着用物品。
【手続補正２】
【補正対象書類名】明細書
【補正対象項目名】０００６
【補正方法】変更
【補正の内容】
【０００６】
本発明は、上記知見に基づきなされたもので、液透過性の表面シート、液不透過性の裏面シート、使い捨て着用物品の外表面に位置する最外層シ−ト、及び上記表面シートと上記裏面シートとの間に介在された液保持性の吸収体を有し、胴回り部に胴回り弾性部材が配されている使い捨て着用物品において、
上記裏面シートと上記最外層シートとの間に外層シートが配されており、
上記胴回り弾性部材は、上記最外層シート以外の部材である上記外層シートに伸張状態で直接固定されて該最外層シートの内方にギャザーを形成しており、
上記外層シートと上記最外層シートとが上記胴回り部において接着されていないことによって、上記胴回り弾性部材と上記最外層シートとの間に非接着領域が設けられて、上記胴回り部の外表面にギャザーが形成されていないことを特徴とする使い捨て着用物品を提供するものである。